(57)【特許請求の範囲】
【請求項１】
多数が連結されて一方向に移動する足場；及び
前記足場の両側に固定され、上面に支持パネルが設置され、前記支持パネルの下側に直立するように固定され、文字、記号、映像及び動画からなる画面を出力する透明電光板；を含み、
前記透明電光板は、
互いに離隔してその間に充填される透明レジンによって接着される一対の透明板の少なくとも一面に固定される一つ以上の発光素子；
前記透明板に塗布された伝導性物質によって前記発光素子に電源を連結する透明電極；及び
前記透明電極から前記発光素子に電気的信号を伝達するように互いに異なる長さを持って伸びる連結パターン；を含み、
前記連結パターンは、前記発光素子に連結される長さが長くなるほど幅が増加し、
前記連結パターンの幅は、下記の数学式１と２によって算出され、
さらに、
足場を回転させる駆動力を提供し、操作パネルから印加された駆動信号に応じて駆動モーターを駆動させて前記足場を回転させる足場駆動部と、
前記足場の駆動状態の異常を感知した場合、故障を警報する警報部に故障感知信号を印加したり、前記足場への乗客の搭乗有無を感知して前記足場駆動部にオン／オフ信号を印加したりするセンサー部と、
保存された情報又は通信によって受信される情報であって、製品の広告、飛行機の離着陸時間及び延着情報又は気象情報を含む情報の出力有無を決定して前記透明電光板に出力するように制御するディスプレイ制御部と、を有することを特徴とする透明電光板を備えたムービングウォーク。
（数学式１）
Ｌ（ｍｍ）／Ｗ（ｍｍ）×透明電極の面抵抗（Ω）＝エッチングされた面積の抵抗（Ω）
（数学式２）
定格電圧（Ｖ）／エッチングされた面積の抵抗（ｋΩ）＝Ｉ（ｍＡ）
（式中、Ｌは連結パターンの長さ、Ｗは連結パターンの幅、透明電極の面抵抗は透明電極自体の面抵抗値、定格電圧は透明電光板に印加される電圧、Ｉは連結パターンから発光素子に印加される電流値、エッチングされた面積の抵抗は透明電極から伸びる連結パターンの単位面積当たり抵抗値である。）
【請求項２】
前記発光素子は、
前記連結パターンが連結される一つ以上のアノード電極と一つのカソード電極とを含み、
前記連結パターンは、前記一つ以上のアノード電極にそれぞれ連結されるように、前記透明電極から前記アノード電極にそれぞれ連結される一つ以上の連結パターンと、前記多数の発光素子にそれぞれ形成されるカソード電極に共通で連結される単一カソード連結パターンとを含むことを特徴とする、請求項１に記載の透明電光板を備えたムービングウォーク。
【請求項３】
前記透明電光板は、
前記透明板の上下左右側端部の中で少なくとも一つから前記カソード連結パターンと前記連結パターンが順次伸びて透明伝導性テープに連結される連結端が整列され、
前記連結端において最上側で前記カソード連結パターンの連結端が形成され、
前記連結端において前記カソード連結パターンの連結端の下側に前記一つ以上の連結パターンの連結端が順次伸びることを特徴とする、請求項２に記載の透明電光板を備えたムービングウォーク。
【請求項４】
前記連結パターンは、
前記発光素子の一つ以上のアノード電極にそれぞれ連結され、少なくとも一つ以上が前記カソード連結パターンを挟んで離隔して前記アノード電極に連結されることを特徴とする、請求項２に記載の透明電光板を備えたムービングウォーク。
【請求項５】
前記発光素子は、一つ以上が水平又は垂直方向に整列され、
前記連結パターンは前記発光素子のアノード電極の数と同数が前記発光素子別にそれぞれ伸びることを特徴とする、請求項２に記載の透明電光板を備えたムービングウォーク。
【発明の詳細な説明】
【技術分野】
【０００１】
本発明は透明電光板を備えたムービングウォークに係り、詳しくは空港やデパートに設置されるムービングウォークにおいて足場の両側に透明電光板を設置して製品の広告用広告やその他の動画の具現が可能な透明電光板を備えたムービングウォークに関するものである。
【背景技術】
【０００２】
一般に、空港には広い空間を備えているため、乗客の移動の便宜のために多数のエスカレーターとムービングウォークが設置されている。
【０００３】
ムービングウォークはエスカレーターとともに代表的に台頭している縦的運送手段であり、前記エスカレーターとムービングウォークの場合、エレベーターに比べ、一定の方向への連続的な輸送能力がすぐれてデパート、ホテル、空港及び地下鉄の駅などにおいて低階用大量輸送機器として広く使われている。
【０００４】
従来のムービングウォークは、平板型足場を駆動機の動力で駆動させて多数の乗客が足場に乗って移動することができるように構成されており、前記足場の両側部にはパネルが固定設置される一方、パネルには別のハンドレールが設けられる。
【０００５】
このような従来のムービングウォークは、乗客の安全及び便宜性に力点を置いたもので、大韓民国特許公開第２０１０−０１３７７０８号に開示されたようである。
【０００６】
しかし、前記のような従来のムービングウォークは乗客の移動間便宜と搭乗者有無による足場の駆動を制御する技術に重点を置いてなされたもので、移動中の乗客のための便宜さを与えることができる技術が足りない実情である。したがって、空港やデパートと広い空間で移送距離が長いムービングウォークに乗った乗客は長期間の移動中に退屈さを感じることができるため、これに対する便宜事項を改善しなければならない必要性が台頭した。
【発明の概要】
【発明が解決しようとする課題】
【０００７】
本発明は前記のような従来の問題点を解決するためになされたもので、本発明は、ムービングウォークに乗って移動中の乗客の退屈さを改善するために、ムービングウォークから多様な動画の出力が可能になるように、足場の両側に直立状態に透明電光板を設置することで移動中の乗客に便宜を提供することができる透明電光板を備えたムービングウォークを提供することにある。
【０００８】
また、本発明の他の目的は、透明電光板において発光素子に電源を供給するように形成される連結パターンの幅を透明電極の面抵抗及び長さを考慮して選択的に形成することにより、全ての発光素子の均一な光出力が可能な透明電光板を備えたムービングウォークを提供することにある。
【課題を解決するための手段】
【０００９】
本発明は、足場が一方向に延設されるムービングウォークの両側に互いに離隔した一つ以上のポストによって支持される透明電光板を含み、前記透明電光板はパターンの幅及び長さを調節して、発光素子に印加される駆動電圧を一定の範囲内で均一に供給することができ、透明電光板に設置される多数の光源が均一な強度で発光することができる透明電光板を備えたムービングウォークを提供する。
【発明の効果】
【００１０】
本発明は、ムービングウォークにおいて乗客が取っ手として支持するパネルが設置される透明パネルの代わりに映像及び動画の出力が可能な透明電光板を設置することにより、移動中の乗客の退屈さを改善することができ、さらに空港の搭乗情報を提供することができるので、顧客の便宜を改善することができる効果がある。
【００１１】
また、本発明は、ムービングウォークに透明電光板を適用するにあたり、前記透明電光板の発光素子に連結される連結パターンの幅を調節することにより、全ての発光素子が均一な光出力を持つことになって精密な映像及び動画の具現が可能であり、きれいな画質の画面を提供することができる効果がある。
【図面の簡単な説明】
【００１２】
【図１】本発明による透明電光板を備えたムービングウォークを示す斜視図である。
【図２】本発明による透明電光板を備えたムービングウォークを示すブロック図である。
【図３】本発明による透明電光板を備えたムービングウォークの透明電光板を示す図である。
【図４】本発明による透明電光板を備えたムービングウォークの透明電光板の発光素子を拡大して示す図である。
【図５】本発明による透明電光板を備えたムービングウォークの透明電光板の第１比較例を示す図である。
【図６】本発明による透明電光板を備えたムービングウォークの透明電光板の第１実験例を示す図である。
【図７】本発明による透明電光板を備えたムービングウォークの透明電光板の第２比較例を示す図である。
【図８】本発明による透明電光板を備えたムービングウォークの透明電光板の第２実験例を示す図である。
【発明を実施するための形態】
【００１３】
本発明は前記のような目的を達成するために下記のような実施例を含む。
【００１４】
本発明による透明電光板を備えたムービングウォークの好適な実施例は、多数が連結されて一方向に移動する足場；及び前記足場の両側に固定され、上面に支持パネルが設置され、前記支持パネルの下側に直立するように固定され、文字、記号、映像及び動画からなる画面を出力する透明電光板；を含み、前記透明電光板は、互いに離隔してその間に充填される透明レジンによって接着される一対の透明板の少なくとも一面に固定される一つ以上の発光素子；前記透明板に塗布された伝導性物質によって電極を形成して前記発光素子に電源を連結する透明電極；及び前記透明電極から前記発光素子に電気的信号を伝達するように互いに異なる長さを持って伸びる連結パターン；を含み、前記連結パターンは、前記発光素子に連結される長さが長くなるほど幅が増加することを特徴とする。
本発明の他の実施例において、前記連結パターンの幅は、下記の数学式１と２によって算出されることを特徴とする。
（数学式１）
Ｌ（ｍｍ）／Ｗ（ｍｍ）×透明電極の面抵抗（Ω）＝エッチングされた面積の抵抗（Ω）
（数学式２）
定格電圧（Ｖ）／エッチングされた面積の抵抗（ｋΩ）＝Ｉ（ｍＡ）
【００１５】
式中、Ｌは連結パターンの長さ、Ｗは連結パターンの幅、透明電極の面抵抗は透明電極自体の面抵抗値、定格電圧は透明電光板に印加される電圧、Ｉは連結パターンから発光素子に印加される電流値、エッチングされた面積の抵抗は透明電極からエッチングされて形成された連結パターンの単位面積当たり抵抗値である。
【００１６】
本発明のさらに他の実施例において、前記発光素子は、前記連結パターンが連結される一つ以上のアノード電極と一つのカソード電極とを含み、前記連結パターンは、前記一つ以上のアノード電極にそれぞれ連結されるように、前記透明電極からエッチングされて前記アノード電極にそれぞれ連結される一つ以上の連結パターンと、前記多数の発光素子にそれぞれ形成されるカソード電極に共通で連結される単一カソード連結パターンとを含むことを特徴とする。
【００１７】
本発明のさらに他の実施例において、前記透明電光板は、前記透明板の上下左右側端部の中で少なくとも一つから前記カソード連結パターンと前記連結パターンが順次伸びて前記透明伝導性テープに連結される連結端が整列され、前記連結端において最上側で前記カソード連結パターンの連結端が形成され、前記連結端において前記カソード連結パターンの連結端の下側に前記一つ以上の連結パターンの連結端が順次伸びることを特徴とする。
【００１８】
本発明のさらに他の実施例において、前記連結パターンは、前記発光素子の一つ以上のアノード電極にそれぞれ連結され、少なくとも一つ以上が前記カソード連結パターンを挟んで離隔して前記アノード電極に連結されることを特徴とする。
本発明のさらに他の実施例において、前記発光素子は、一つ以上が水平又は垂直方向に整列され、前記連結パターンは前記発光素子のアノード電極の数と同数が前記発光素子別にそれぞれ伸びることが好ましい。
【発明の実施のための形態】
【００１９】
以下では本発明による透明電光板を備えたムービングウォークの好適な実施例を添付図面に基づいて詳細に説明する。
【００２０】
図１は本発明による透明電光板を備えたムービングウォークを示す斜視図、図２は本発明による透明電光板を備えたムービングウォークを示すブロック図である。
【００２１】
図１及び図２を参照すれば、本発明によるムービングウォークは、一つ以上が一方向に連結されて循環式で移動する一つ以上の足場１１００と、前記足場１１００を駆動させる足場駆動部１４００と、前記足場１１００の両側に直立するように設置される透明電光板１２００と、前記透明電光板１２００を制御するディスプレイ制御部１５００と、前記足場１１００の異常有無を感知するセンサー部１６００と、前記センサー部１６００の異常有無感知による故障を警報する警報部１３００とを含む。
【００２２】
前記足場１１００は、平面をなす足場が一つ以上順次連結されて伸びており、一方向に回転する。ここで、前記足場１１００は、乗客が搭乗して移動することができるように、十分な幅を持ち、出発地から目的地まで多数が連結されて回転する。
【００２３】
前記足場駆動部１４００は、前記足場１１００を回転させる駆動力を提供する。例えば、前記足場駆動部１４００は、操作パネル（図示せず）から印加された駆動信号に応じて駆動モーター（図示せず）を駆動させて前記足場１１００を回転させる。前記足場１１００と足場駆動部１４００は一般的に知られた構成を適用するので、その詳細な説明を省略した。
【００２４】
前記センサー部１６００は、前記足場１１００の駆動状態を感知し、前記警報部１３００に故障感知信号を印加する。例えば、センサー部１６００は、前記足場１１００の駆動中に異物やその他の故障によって前記足場の回転が止まったことを感知し、前記警報部１３００を駆動させる。又は、前記センサー部１６００は、前記足場１１００に乗客の搭乗有無を感知して前記足場駆動部１４００にオン／オフ信号を印加する。すなわち、前記センサー部１６００は、前記足場１１００に乗客が搭乗していない状態であると、前記足場駆動部１４００にオフ信号を印加し、乗客が搭乗していることが感知されれば、前記足場駆動部１４００にオン信号を印加する。
【００２５】
前記ディスプレイ制御部１５００は、保存された情報又は通信によって受信される情報の出力有無を決定して前記透明電光板１２００に出力するように制御する。この際、前記透明電光板１２００に出力される情報は、製品の広告用広告又は飛行機の離着陸時間及び延着情報や気象情報を含むことができる。
【００２６】
前記透明電光板１２００は、前記足場１１００の両側に固定され、上面で使用者を支持するようにパネル（図面付与なし）が設置され、前記パネルの下側に直立するように固定され、映像や動画として広告及び空港の利用情報（例えば、飛行機の延着、又は離陸及び出発情報、気象情報）を出力する。さらに、前記透明電光板１２００は前記ディスプレイ制御部１５００によって多数の情報を出力する。ここで、前記透明電光板１２００に出力される情報は文字や記号からなる情報や動画の出力も可能である。このために、前記透明電光板１２００は、多数の発光素子の駆動電圧が均一に印加されて均一な光の強度を持つように構成されることにより、よりきれいな画質の画面を提供することができる。より具体的な説明は下記で添付図面に基づいて説明する。
【００２７】
図３は本発明による透明電光板を備えたムービングウォークの透明電光板を示す図、図４は本発明による透明電光板を備えたムービングウォークの透明電光板の発光素子を拡大して示す図である。
【００２８】
図３及び図４を参照すれば、前記透明電光板１２００は、互いに離隔して透明レジンによって接着される一対の透明板１０と、前記一対の透明板１０のいずれか一つの一面に伝導性物質からなって電源を案内する透明電極２１〜２４と、前記一対の透明板１０のいずれか一つに固定され、前記透明電極２１〜２４を通じて印加される電源によって発光する多数の発光素子２０、２０’、２０”、２０”’と、前記発光素子２０をオン／オフ制御するコントローラー３０と、前記透明電極２１〜２４に電源を供給する透明電極伝導性テープ２５とを含む。
【００２９】
前記透明板１０は、二枚の透明板１０が互いに対向し、その間に透明レジンが充填されて接着される。前記透明板１０は、透明材質のガラス板、アクリル及びポリカーボネートのいずれか一つから製作できる。前述したような透明板１０と発光素子２０の結合関係は一般的に知られた技術であるので、図面及び詳細な説明では省略した。
【００３０】
前記発光素子２０は電源の供給によって点滅する発光体であり、多数が前記一対の透明板１０のいずれか一方の一面に形成される透明電極２１、２２、２３に伝導性レジン（図示せず）によって固定される。この際、前記発光素子２０は、下端が前記透明電極２１、２２、２３に固定され、上側の透明レジンによって保護され、他の透明電極に接着される。ここで、前記発光素子２０にはアノード電極２０ａ〜２０ｃとカソード電極２０ｄが形成され、前記アノード電極２０ａ、２０ｂ、２０ｃでは正の電源、カソード電極２０ｄでは負の電源が入出力される。さらに、前記発光素子２０は、アノード電極２０ａ〜２０ｃとカソード電極２０ｄがそれぞれ一つずつ設けられる２電極発光素子と、アノード電極が二つ、カソード電極が一つ設けられる３電極発光素子と、アノード電極が三つ、カソード電極が一つ設けられる４電極発光素子２０とのいずれか一つが適用できる。本発明においては、一例として４電極発光素子を適用して説明する。
【００３１】
前記透明電極２１〜２４は、前記一対の透明板の中で他の一つと対向する一面に伝導性物質であるＩＴＯ（Ｉｎｄｉｕｍ Ｔｉｎ Ｏｘｉｄｅ）、ＩＺＯ（Ｉｎｄｉｕｍ Ｚｉｎｃ Ｏｘｉｄｅ）、及び液相ポリマーのいずれか一つが塗布されて形成され、前記発光素子２０のアノード電極２０ａ、２０ｂ、２０ｃとカソード電極２０ｄにそれぞれ連結されるように多数が互いに絶縁可能に区画及び分割され、前記発光素子に電気的信号が伝達できるように延設される一つ以上の連結パターン２１〜２４をなす。
【００３２】
この際、区画されたそれぞれの透明電極２１〜２４は前記発光素子２０のアノード電極２０ａ、２０ｂ、２０ｃとカソード電極２０ｄにそれぞれ連結されるように区画され、前記コントローラー３０から印加される制御信号を前記発光素子２０に伝達する。
【００３３】
このような透明電極２１〜２４において、前記発光素子のアノード電極２０ａ、２０ｂ、２０ｃとカソード電極２０ｄにそれぞれ連結されるように区画された領域を連結パターン２１〜２３とカソード電極２４に命名して説明する。
【００３４】
詳細に説明すると、前記透明電極２１、２２、２３、１４は、一つの発光素子２０に形成される一つ以上のアノード電極２０ａ、２０ｂ、２０ｃにそれぞれ連結される一つ以上の連結パターン２１〜２３と、カソード２０ｄに連結される一つのカソード連結パターン２４とを含むグループを多数含む。
【００３５】
前記連結パターン２１〜２３は、それぞれの発光素子２０のアノード電極２０ａ、２０ｂ、２０ｃの数と同数のものが形成できるが、前記カソード連結パターン２４は一つで、多数の発光素子２０のカソード電極２０ｄに共通で連結される。
【００３６】
前記透明電極２１〜２４は、例えば、４電極発光素子２０において第１〜第３アノード電極２０ａ、２０ｂ、２０ｃにそれぞれ連結される第１連結パターン〜第３連結パターン２１１〜２１３を備える一つのグループ２１〜２３が多数形成される。
【００３７】
例えば、前記連結パターンの第１グループ２１は、第１発光素子２０の第１アノード電極２０ａに連結される第１連結パターン２１１と、第２アノード電極２０ｂに連結される第２連結パターン２１２と、第３アノード電極２０ｃに連結される第３連結パターン２１３とからなる。
【００３８】
同様に、前記連結パターンの第２グループ２２と第３グループ２３はそれぞれ第２発光素子２０’と第３発光素子２０”のそれぞれのアノード電極にそれぞれ連結される第１〜第３の連結パターン２２１、２２２、２２３、２３１、２３２、２３３を含む。
しかし、前記カソード連結パターン２４は前記多数の発光素子２０にそれぞれ形成されるカソード電極２０ｄに共通で連結される。
【００３９】
すなわち、本発明は、透明電光板１２００に設置される多数の発光素子２０のカソード電極２０ｄに一つのカソード連結パターン２４が共通で連結され、多数の発光素子２０のアノード電極２０ａ、２０ｂ、２０ｃにそれぞれ連結パターン２１〜２３を形成するものである。
【００４０】
ここで、前記連結パターンの多数のグループ２１〜２３は前記透明板１０の一端から他側に伸びて横方向に整列されるそれぞれの発光素子に連結される。この際、前記連結パターンの各グループ２１〜２３は前記発光素子２０、２０’、２０”の位置によって伸びる長さが異なり、その長さと前記連結パターンの単位面積当たり抵抗を考慮して前記連結パターン２１〜２３の幅を調節する。これは、全ての透明電光板１２００に設置される全ての発光素子から出力される光の強度を均一に維持するためであり、これについては後述する。
また、前記透明電極伝導性テープ２５が前記連結パターン２１〜２３の連結端にそれぞれ付着される。
そして、前記透明電極伝導性テープ２５は前記連結パターン２１〜２３の開始点に接着される。
【００４１】
すなわち、前記透明電光板１２００は、前記透明板１０の上下左右側端の中で少なくとも一つから前記カソード連結パターン２４と前記連結パターンの各グループ２１〜２３が順次伸びて前記透明伝導性テープ２５に連結される連結端２６が整列される。
【００４２】
前記連結端２６は、最上側で前記カソード連結パターン２４に連結される連結端が形成され、前記カソード連結パターン２４の連結端の下側に前記一つ以上のアノードにそれぞれ連結される各グループ２１〜２３に当たる連結パターン２１１〜２３３の連結端２６が順次形成される。
【００４３】
また、前記グループ２１〜２３に含まれた各連結パターン２１１〜２３３は、前記発光素子２０、２０’、２０”の一つ以上のアノード電極にそれぞれ連結され、少なくとも一つ以上が前記カソード連結パターン２４を挟んで離隔して前記アノード電極２０ａ〜２０ｃに連結される（図４の第２連結パターン２１２と第３連結パターン２１３参照）。
【００４４】
また、前記グループ２１〜２３の各連結パターン２１１〜２３３は前記透明電極伝導性テープ２５から伸び、それぞれ互いに異なる発光素子２０のアノード電極２０ａ、２０ｂ、２０ｃに連結される。この際、前記カソード連結パターン２４は前記連結パターン２１１〜２３３が形成される領域以外の全領域に当たる。
【００４５】
また、本発明は、前記連結パターン２１１〜２３３の長さと自体単位面積当たり抵抗値の偏差によって各発光素子２０、２０’、２０”の光出力の強度が均一でない従来の問題点を解決するために、前記発光素子２０、２０’、２０”のアノード電極に連結される連結パターン２１１〜２３３の幅を面抵抗及び長さによって順次増加させる。これは下記により詳細に説明する。
【００４６】
図５は本発明による透明電光板を備えたムービングウォークの透明電光板の第１比較例を示す図、図６は本発明による透明電光板を備えたムービングウォークの透明電光板を説明するための第１実験例を示す図である。
【００４７】
前記第１比較例と前記第１実験例は、第１〜第３発光素子２０、２０’、２０”にそれぞれ連結されるように、第１〜第３グループ２１０〜２３０、２１０’〜２３０’の連結パターン２１１〜２３３２１１’〜２３３’を含み、前記第１〜第３グループ２１０〜２３０は前述した各発光素子に連結される連結パターンのグループ２１〜２３を意味する。一例として、図５及び図６はそれぞれ一つのパターンで形成されるものが示されている。
また、添付図面の図５及び図６は前記第１〜第３連結パターンの端部で連結される第１〜第３発光素子を図示しなかった。
【００４８】
第１実験例と第１比較例は、第１発光素子２０に連結される第１グループ２１０’、２１０と、第２発光素子２０’に連結される第２グループ２２０’、２２０と、第３発光素子２０”に連結される第３グループ２３０、２３０’を含み、各グループ別に伸びる長さＬ１、Ｌ２、Ｌ３が異なる。
【００４９】
また、第１実験例は、各グループ２１０〜２３０の連結パターン２１１〜２３３の幅を延長長さによって順次増加させ、第１比較例は、延長長さに係わらずに連結パターン２１１’〜２３３’の幅を同一に設定した。
【００５０】
ここで、前記発光素子２０は、前記第１〜第３グループ２１０、２１０’、２２０、２２０’、２３０、２３０’に当たる各連結パターン２１１〜２３３２１１’〜２３３’の端部で水平に折り曲げられる結合端２１０ａ、２１０ａ’、２１０ｂ、２１０ｂ’、２１０ｃ、２１０ｃ’が前記発光素子２０、２０’、２０”にそれぞれ形成される一つ以上の電極２０ａ〜２０ｃに接着される。
【００５１】
前記第１実験例と第１比較例は、前記結合端２１０ａ、２１０ａ’、２１０ｂ、２１０ｂ’、２１０ｃ、２１０ｃ’で前記発光素子２０、２０’、２０”に印加される電流値を測定し、長さによってその幅が増加することによる電流値の変化を測定して比較した。前記電流値は下記の数学式１及び２によって演算される。
（数学式１）
Ｌ（ｍｍ）／Ｗ（ｍｍ）×透明電極の面抵抗（Ω）＝エッチングされた面積の抵抗（Ω）
（数学式２）
Ｖ／エッチングされた面積の抵抗（ｋΩ）＝Ｉ（ｍＡ）
【００５２】
式中、Ｌは連結パターンの長さ、Ｗは連結パターンの幅、透明電極の面抵抗は透明電極自体の面抵抗値、Ｖは定格電圧、Ｉは連結パターンから発光素子に印加される電流値（以下では発光素子の駆動電流という）、エッチングされた面積の抵抗は透明電極からエッチングされて形成された連結パターンの単位面積当たり抵抗値である。
前記透明電極の面抵抗値は、例えば、製造社別、製品別仕様によって偏差があり得、一般的に同業種で一番多く適用される製品の場合は普通１４Ωである。
【００５３】
したがって、本発明は第１発光素子〜第３発光素子２０、２０’、２０”にそれぞれ印加される駆動電流を連結パターンの幅又は連結パターンの長さを調節して所定範囲内に当たるレベルを維持するようにして、前記第１〜第３発光素子２０、２０’、２０”の出力が均一になるようにすることができる。
【００５４】
本発明は、前述したように、連結パターン２１１〜２３３の幅を調節して、発光素子２０、２０’、２０”に印加される駆動電流値を調節することも可能であり、あるいは設計者や使用者の応用によって連結パターンの幅でない長さを調節することによって前記発光素子の駆動電流を調節することも可能である。このような連結パターンの幅又は長さの調節による均一な駆動電流値の設定は本発明の技術的思想の範囲内に属する多様な応用例の一つに当たる。
【００５５】
以下では、前記のような本発明の技術的思想によって具現される作用及び効果を連結パターンの幅による駆動電流値の均一な出力を証明するための実験データを従来の駆動電流値と比較して説明する。
【００５６】
表１は第１比較例の駆動電流を測定したデータを示した。ここで、定格電圧は１２Ｖであり、第１〜第３発光素子２０、２０’、２０”は基準電流が５ｍＡで、同一仕様の製品を適用した。
【００５７】
前記駆動電流は、前記発光素子２０、２０’、２０”の電極に連結される結合端に印加される電流を測定し、透明電極の面抵抗値を１４（Ω）、定格電圧を１２Ｖに設定し、全ての連結パターンに同一電圧を印加した。
【００５８】
【表１】
0006031200.tif 000002
【００５９】
第１駆動電流は製品仕様によって確認された第１エッチング面積抵抗値によって算出される第１〜第３グループ２１０’〜２３０’の各連結パターンの結合端２１０ａ’〜２３０ａ’で測定される電流値であり、第２駆動電流は第１〜第３グループ２１０’〜２３０’の連結パターンの結合端２１０ａ’〜２３０ａ’で実際に測定された値である。
【００６０】
ここで、前記第１〜第３グループ２１０’〜２３０’の連結パターン２１１’〜２３３’は、第１グループ２１０’の連結パターン２１１’〜２１３’の長さが最も短く、第３グループ２３０’の連結パターン２３１’〜２３３’の長さが最も長く伸びるが、幅はいずれも同一である。
このような条件で、前記結合端２１０ａ’〜２３０ａ’の測定電流は連結パターンの長さによって最大１２ｍＡの偏差が発生することを確認することができる。
【００６１】
表２は第１実験例の駆動電流をそれぞれ測定したデータである。この際、前記第１実験例の連結パターンの長さＬ１、Ｌ２、Ｌ３は第１比較例の長さＬ１、Ｌ２、Ｌ３と同一であるが、長さが増加するほど幅を拡張させた。実験条件は、定格電圧は１２Ｖ、発光素子の基準電流値は５ｍＡで、前記第１比較例と同一仕様の製品を適用した。
【００６２】
また、第１グループ２１０の連結パターン２１１〜２１３の幅は０．５ｍｍ、第２グループ２２０の連結パターン２２１〜２２３の幅は２．５ｍｍ、第３グループ２３０の連結パターン２３１〜２３３の幅は４ｍｍで、連結パターンの長さＬ１、Ｌ２、Ｌ３が増加するほどその幅を増加させた。
【００６３】
【表２】
0006031200.tif 000003
【００６４】
表２に記載した駆動電流値を確認して見れば、第１駆動電流と第２駆動電流は第１グループ２１０の連結パターン２１１〜２１３と第３グループ２３０の連結パターン２３１〜２３３の結合端２１０ａ、２３０ａで測定した値の偏差が最大１．２ｍＡを超えなかった。
【００６５】
すなわち、各グループ２１０〜２３０別に連結パターンの結合端２１０ａ〜２３０ａで発光素子２０、２０’、２０”に印加される駆動電流は、連結パターンの幅が増加すれば駆動電流が増加して、表１のデータと異なり、連結パターン２１１〜２３３の長さによる電流の損失が補償されることが確認される。
【００６６】
また、出願人は各グループにおいて総四つの連結パターンから構成されるように設計した４端子発光素子が適用される透明電光板１２００によって、連結パターンの幅が一定した第２比較例と、連結パターンの幅が順次増加する第２実験例とを比較した。
【００６７】
図７は本発明による透明電光板を備えたムービングウォークの透明電光板の第２比較例を示す図、図８は本発明による透明電光板を備えたムービングウォークの透明電光板を説明するための第２実験例を示す図である。
【００６８】
図７を参照すれば、第２比較例は透明板１０の一面において伝導性物質が塗布されて形成される透明電極２１〜２４がエッチングされて形成される一つ以上の連結パターン２１１〜２３３を含む一つ以上のグループ２１〜２３と、前記連結パターン２１１〜２３３から印加される電源によって発光する一つ以上の発光素子２０、２０’、２０”とを含む。
【００６９】
ここで、前記発光素子２０、２０’、２０”は４端子電極を持つ発光素子を例として説明する。前述したように、各発光素子のカソード電極はカソード連結パターン２４によって共通で連結される。
【００７０】
前記一つ以上の連結パターン２１１’〜２３３’が含まれるそれぞれのグループ２１０’〜２３０’はグループ別にその長さが順次増加し、各グループ２１０’〜２３０’は前記発光素子２０、２０’、２０”のアノード電極に連結される第１〜第３連結パターン２１１’〜２３３’が形成される。
【００７１】
前記第１〜第３グループ２１０’〜２３０’の各連結パターン２１１’〜２３３’は１ｍｍで、同一幅を持ち、第１グループ２１０’から第３グループ２３０’の順にその長さが次第に増加する。前記第１グループ２１０’は、第１発光素子２０の各電極に連結される第１〜第３連結パターン２１１’〜２１３’が形成され、第２グループ２２０’の連結パターン２２１’〜２２３’は、前記第２発光素子２０’の各電極に連結される第４〜第６連結パターン２２１’〜２２３’が形成され、第３グループ２３０’の連結パターン２３１’〜２３３’は、前記第３発光素子２０”の各電極に連結される第７〜第９連結パターン２３１’〜２３３’がそれぞれ形成される。ここで、前記第１〜第９連結パターン２１１’〜２３３’の幅は同一であり、その長さはグループ別に異なっている。このような第２比較例の測定データは下記の通りである。
【００７２】
【表３】
0006031200.tif 000004
定格電圧は１２Ｖ、基準電流は５ｍＡ、透明電極の面抵抗は１４ｋΩである。各駆動電流は各連結パターンのパターン別に測定した。
【００７３】
前記表３から確認して見れば、パターンの長さが増加するほどエッチング面積抵抗値は最大５．９ｋΩ増加し、駆動電流は最大１３．７６ｍＡの偏差が発生することを確認することができる。すなわち、第２比較例は、長さの長短によって発光素子２０、２０’、２０”から出力される光量に差があって全ての透明電光板１２００の光出力が均一でないため、細密な動画の具現が難しいと結論することができた。
このような第２比較例の実験結果と比較するために、図８の第２実施例を同一実験条件の下で実験し、下記の表４のような駆動電流を測定した。
【００７４】
ここで、本発明の第２実施例は、第２比較例の連結パターン長さと定格電圧及び同一仕様の発光素子と透明電極を適用した。ただ、第１〜第３グループ２１０〜２３０の連結パターンの幅を順次増加させた。
【００７５】
第１グループ２１０の第１〜第３連結パターン２１１〜２１３は、各パターンの幅を０．５ｍｍ、第２グループ２２０の連結パターン２２１〜２２３は２．５ｍｍ、第３グループ２３０の連結パターン２３１〜２３３は４ｍｍの幅を持つように設定し、長さＬ１、Ｌ２、Ｌ３は前述した第２比較例と同様であり、透明電極の面抵抗は１４ｋΩ、定格電圧は１２Ｖである。
【００７６】
【表４】
0006031200.tif 000005
【００７７】
表４において、製品の仕様によって確認される理論的電流値である第１駆動電流値は前述した数学式１と数学式２によって算出され、第２駆動電流値は実際に測定されたデータである。また、前記第１〜第３グループ２１０〜２３０の連結パターン２１１〜２３３の幅は前記数学式１と数学式２によって算出される。
【００７８】
前記第１駆動電流値と第２駆動電流値は、最大偏差が２．５３ｍＡで、第２比較例の１３．７６ｍＡよりずっと少ない値が測定される。すなわち、本発明は連結パターン２１１〜２３３の長さに係わらずに全ての発光素子２０、２０’、２０”の光出力の偏差が小さいため、透明電光板１２００の全体が均一な光を出力することができることを確認することができた。
【００７９】
このように、本発明は、ムービングウォーク１０００において前記足場の両側に直立するように設置される透明電光板１２００は多数の発光素子が均一な光出力で発光することにより、より精密できれいな画質の映像と動画の具現が可能である。
【産業上の利用可能性】
【００８０】
本発明はムービングウォークに映像及び動画の出力が可能な透明電光板を設置することにより、移動中の乗客の退屈さを改善することができ、さらに空港の搭乗情報を提供することができ、顧客の便宜を改善することができるので、産業上利用可能性が非常に高い。
【図２】
0006031200.tif 000006
【図３】
0006031200.tif 000007
【図４】
0006031200.tif 000008
【図５】
0006031200.tif 000009
【図６】
0006031200.tif 000010
【図７】
0006031200.tif 000011
【図８】
0006031200.tif 000012
【図１】
0006031200.tif 000013